(57)【特許請求の範囲】
【請求項１】
移動通信システムにおいて、移動機の加入者が契約していないビジタ網のサービスエリア内に前記移動機が存在する際に、前記移動機の位置情報を取得し、前記位置情報に対応する住所を検索し、前記検索した住所を音声メッセージとして伝えるための音声信号に変換し、前記音声信号を発信元に送出する位置情報通知方法であって、
前記ビジタ網のサービスエリア内に前記移動機が移動したとき、前記移動機の第１の位置情報を前記加入者が契約しているホーム網のホームロケーションレジスタに格納する第１の位置登録手順と、
前記移動機の第２の位置情報を前記ビジタ網のビジタロケーションレジスタに格納する第２の位置登録手順と、
発信元から前記移動機への起呼信号が送出された際に、前記ホームロケーションレジスタを検索して、前記第１の位置登録手順によって登録した前記第１の位置情報を取得する第１の取得手順と、
前記第１の取得手順によって取得した前記第１の位置情報に基づき、前記ビジタ網のサービスエリア内での移動機の位置を確認するルーティング情報収集手順と、
前記移動機への着信時に前記移動機が無応答、電源断又は圏外の場合、前記ビジタロケーションレジスタを検索して、前記第２の位置登録手順によって登録した前記第２の位置情報を取得する第２の取得手順とを有することを特徴とする位置情報通知方法。
【請求項２】
移動通信システムにおいて、移動機の加入者が契約していないビジタ網のサービスエリア内に前記移動機が存在する際に、前記移動機の位置情報を取得し、前記位置情報に対応する住所を検索し、前記検索した住所を音声メッセージとして伝えるための音声信号に変換し、前記音声信号を発信元に送出する位置情報通知方法であって、
前記ビジタ網のサービスエリア内に前記移動機が移動したとき、前記移動機の第１の位置情報を前記加入者が契約しているホーム網のホームロケーションレジスタに格納する第１の位置登録手順と、
前記移動機の第２の位置情報を前記ビジタ網のビジタロケーションレジスタに格納する第２の位置登録手順と、
発信元から前記移動機への起呼信号が送出され、前記ビジタ網において前記起呼信号を受信した際に、前記ビジタ網から前記ホームロケーションレジスタに対して前記移動機の位置情報を要求する要求手順と、
前記ホームロケーションレジスタを検索して、前記第１の位置登録手順によって登録した前記第１の位置情報を取得する第１の取得手順と、
前記第１の取得手順によって取得した前記第１の位置情報を前記ビジタ網のビジタ網交換機に送出する送出手順と、
前記送出手順によって送出した前記第１の位置情報に基づき、前記ビジタ網のサービスエリア内での移動機の位置を確認するルーティング情報収集手順と、
前記移動機への着信時に前記移動機が無応答、電源断又は圏外の場合、前記ビジタロケーションレジスタを検索して、前記第２の位置登録手順によって登録した前記第２の位置情報を取得する第２の取得手順とを有することを特徴とする位置情報通知方法。
【請求項３】
移動通信システムにおいて、移動機の加入者が契約していない第１のビジタ網のサービスエリア内に前記移動機が存在する際に、前記移動機の位置情報を取得し、前記位置情報に対応する住所を検索し、前記検索した住所を音声メッセージとして伝えるための音声信号に変換し、前記音声信号を発信元に送出する位置情報通知方法であって、
前記第１のビジタ網のサービスエリア内に前記移動機が移動したとき、前記移動機の第１の位置情報を前記加入者が契約しているホーム網のホームロケーションレジスタに格納する第１の位置登録手順と、
前記移動機の第２の位置情報を前記第１のビジタ網のビジタロケーションレジスタに格納する第２の位置登録手順と、
発信元から前記移動機への起呼信号が送出され、前記加入者が契約していない第２のビジタ網において前記起呼信号を受信した際に、前記第２のビジタ網から前記ホームロケーションレジスタに対して前記移動機の位置情報を要求する要求手順と、
前記ホームロケーションレジスタを検索して、前記第１の位置登録手順によって登録した前記第１の位置情報を取得する第１の取得手順と、
前記第１の取得手順によって取得した前記第１の位置情報を前記第２のビジタ網のビジタ網交換機に送出する送出手順と、
前記送出手順によって送出した前記第１の位置情報に基づき、前記第１のビジタ網のサービスエリア内での移動機の位置を確認するルーティング情報収集手順と、
前記移動機への着信時に前記移動機が無応答、電源断又は圏外の場合、前記ビジタロケーションレジスタを検索して、前記第２の位置登録手順によって登録した前記第２の位置情報を取得する第２の取得手順とを有することを特徴とする位置情報通知方法。
【請求項４】
移動機の加入者が契約しているホーム網に配設され、前記移動機の第１の位置情報を記憶するホームロケーションレジスタと、
前記加入者が契約していないビジタ網に配設され、前記移動機の第２の位置情報を記憶するビジタロケーションレジスタと、
前記ビジタ網に配設され、前記第２の位置情報に対応する住所を検索するビジタ網住所情報記憶装置と、
前記ビジタ網に配設され、前記検索された住所を音声メッセージとして伝えるための音声信号に変換するビジタ網音声応答装置と、
前記ホーム網に配設され、発信元から前記移動機への起呼信号を受信したとき、前記ホームロケーションレジスタを検索して、前記移動機の前記第１の位置情報を取得し、前記移動機が前記ホーム網と異なる前記ビジタ網のサービスエリア内に存在すると認識した場合、前記第１の位置情報に基づき、前記ビジタ網のサービスエリア内での移動機の位置を確認するルーティング情報収集処理を行うホーム網交換機と、
前記ビジタ網に配設され、前記移動機が前記ビジタ網のサービスエリア内に移動したとき、前記移動機の前記第１の位置情報を前記ホームロケーションレジスタに格納し、前記移動機の前記第２の位置情報を前記ビジタロケーションレジスタに格納し、前記起呼信号により前記移動機への着信が生じたときに前記移動機が無応答、電源断又は圏外の場合、前記ビジタロケーションレジスタに記憶された前記移動機の前記第２の位置情報を前記ビジタ網住所情報記憶装置に渡して前記ビジタ網音声応答装置から出力された音声信号を発信元に送出するビジタ網交換機とを有することを特徴とする移動通信システム。
【請求項５】
移動機の加入者が契約しているホーム網に配設され、前記移動機の第１の位置情報を記憶するホームロケーションレジスタと、
前記加入者が契約していないビジタ網に配設され、前記移動機の第２の位置情報を記憶するビジタロケーションレジスタと、
前記ビジタ網に配設され、前記第２の位置情報に対応する住所を検索するビジタ網住所情報記憶装置と、
前記ビジタ網に配設され、前記検索された住所を音声メッセージとして伝えるための音声信号に変換するビジタ網音声応答装置と、
前記ビジタ網に配設され、発信元から前記移動機への起呼信号を受信したとき、前記ホームロケーションレジスタに対して前記移動機の位置情報を要求し、前記移動機の前記第１の位置情報を取得し、前記移動機が前記ホーム網と異なる前記ビジタ網のサービスエリア内に存在すると認識した場合、前記第１の位置情報に基づき、前記ビジタ網のサービスエリア内での移動機の位置を確認するルーティング情報収集処理を行い、前記移動機が前記ビジタ網のサービスエリア内に移動したとき、前記移動機の前記第１の位置情報を前記ホームロケーションレジスタに格納し、前記移動機の前記第２の位置情報を前記ビジタロケーションレジスタに格納し、前記起呼信号により前記移動機への着信が生じたときに、前記移動機が無応答、電源断又は圏外の場合、前記ビジタロケーションレジスタに記憶された前記移動機の前記第２の位置情報を前記ビジタ網住所情報記憶装置に渡して前記ビジタ網音声応答装置から出力された音声信号を発信元に送出するビジタ網交換機とを有することを特徴とする移動通信システム。
【請求項６】
移動機の加入者が契約しているホーム網に配設され、前記移動機の第１の位置情報を記憶するホームロケーションレジスタと、
前記加入者が契約していない第１のビジタ網に配設され、前記移動機の第２の位置情報を記憶するビジタロケーションレジスタと、
前記第１のビジタ網に配設され、前記第２の位置情報に対応する住所を検索するビジタ網住所情報記憶装置と、
前記第１のビジタ網に配設され、前記検索された住所を音声メッセージとして伝えるための音声信号に変換するビジタ網音声応答装置と、
前記第１のビジタ網に配設され、前記移動機が前記第１のビジタ網のサービスエリア内に移動したとき、前記移動機の前記第１の位置情報を前記ホームロケーションレジスタに格納し、前記移動機の前記第２の位置情報を前記ビジタロケーションレジスタに格納し、発信元からの起呼により前記移動機への着信が生じたときに前記移動機が無応答、電源断又は圏外の場合、前記ビジタロケーションレジスタに記憶された前記移動機の前記第２の位置情報を前記ビジタ網住所情報記憶装置に渡して前記ビジタ網音声応答装置から出力された音声信号を発信元に送出する第１のビジタ網交換機と、
前記加入者が契約していない第２のビジタ網に配設され、前記発信元から前記移動機への起呼信号を受信したとき、前記ホームロケーションレジスタに対して前記移動機の位置情報を要求し、前記移動機の前記第１の位置情報を取得し、前記移動機が前記第１のビジタ網のサービスエリア内に存在すると認識した場合、前記第１の位置情報に基づき、前記ビジタ網のサービスエリア内での移動機の位置を確認するルーティング情報収集処理を行う第２のビジタ網交換機とを有することを特徴とする移動通信システム。
【発明の詳細な説明】
【０００１】
【発明の属する技術分野】
本発明は、移動通信システムに係り、特に移動機が無応答、電源断又は圏外の場合に、移動機の最新の位置情報を音声通知で発信元に伝える位置情報通知方法及び移動通信システムに関するものである。
【０００２】
【従来の技術】
従来、移動通信システムでは、移動電話機の電源が切られている電源断の場合、移動電話機がサービスエリア外にいる圏外の場合、あるいは移動電話機が呼び出しに応答しない無応答の場合、移動電話機から着信応答の信号を受信することができず、例えば「おかけになった電話は、現在通話ができない地域か、電源が入っておりません」といったメッセージをアナウンスマシンから発信元の電話機に送出していた。
【０００３】
【発明が解決しようとする課題】
以上のように従来の移動通信システムでは、着信先の移動電話機が電源断、圏外又は無応答の場合、アナウンスマシン／トーキー接続サービスとなるため、発信者は、呼び出し先の移動電話機の現在位置を知ることができないという問題点があった。
本発明は、上記課題を解決するためになされたもので、移動機が無応答、電源断又は圏外の場合に、移動機の最新の位置情報を発信元に通知することにより、移動機のおおよその現在の位置を判断できる位置情報通知方法及び移動通信システムを提供することを目的とする。
【０００４】
【課題を解決するための手段】
本発明は、移動通信システムにおいて、移動機の加入者が契約していないビジタ網のサービスエリア内に前記移動機が存在する際に、前記移動機の位置情報を取得し、前記位置情報に対応する住所を検索し、前記検索した住所を音声メッセージとして伝えるための音声信号に変換し、前記音声信号を発信元に送出する位置情報通知方法であって、前記ビジタ網のサービスエリア内に前記移動機が移動したとき、前記移動機の第１の位置情報を前記加入者が契約しているホーム網のホームロケーションレジスタに格納する第１の位置登録手順と、前記移動機の第２の位置情報を前記ビジタ網のビジタロケーションレジスタに格納する第２の位置登録手順と、発信元から前記移動機への起呼信号が送出された際に、前記ホームロケーションレジスタを検索して、前記第１の位置登録手順によって登録した前記第１の位置情報を取得する第１の取得手順と、前記第１の取得手順によって取得した前記第１の位置情報に基づき、前記ビジタ網のサービスエリア内での移動機の位置を確認するルーティング情報収集手順と、前記移動機への着信時に前記移動機が無応答、電源断又は圏外の場合、前記ビジタロケーションレジスタを検索して、前記第２の位置登録手順によって登録した前記第２の位置情報を取得する第２の取得手順とを有するものである。
また、本発明は、移動通信システムにおいて、移動機の加入者が契約していないビジタ網のサービスエリア内に前記移動機が存在する際に、前記移動機の位置情報を取得し、前記位置情報に対応する住所を検索し、前記検索した住所を音声メッセージとして伝えるための音声信号に変換し、前記音声信号を発信元に送出する位置情報通知方法であって、前記ビジタ網のサービスエリア内に前記移動機が移動したとき、前記移動機の第１の位置情報を前記加入者が契約しているホーム網のホームロケーションレジスタに格納する第１の位置登録手順と、前記移動機の第２の位置情報を前記ビジタ網のビジタロケーションレジスタに格納する第２の位置登録手順と、発信元から前記移動機への起呼信号が送出され、前記ビジタ網において前記起呼信号を受信した際に、前記ビジタ網から前記ホームロケーションレジスタに対して前記移動機の位置情報を要求する要求手順と、前記ホームロケーションレジスタを検索して、前記第１の位置登録手順によって登録した前記第１の位置情報を取得する第１の取得手順と、前記第１の取得手順によって取得した前記第１の位置情報を前記ビジタ網のビジタ網交換機に送出する送出手順と、前記送出手順によって送出した前記第１の位置情報に基づき、前記ビジタ網のサービスエリア内での移動機の位置を確認するルーティング情報収集手順と、前記移動機への着信時に前記移動機が無応答、電源断又は圏外の場合、前記ビジタロケーションレジスタを検索して、前記第２の位置登録手順によって登録した前記第２の位置情報を取得する第２の取得手順とを有するものである。
【０００５】
また、本発明は、移動通信システムにおいて、移動機の加入者が契約していない第１のビジタ網のサービスエリア内に前記移動機が存在する際に、前記移動機の位置情報を取得し、前記位置情報に対応する住所を検索し、前記検索した住所を音声メッセージとして伝えるための音声信号に変換し、前記音声信号を発信元に送出する位置情報通知方法であって、前記第１のビジタ網のサービスエリア内に前記移動機が移動したとき、前記移動機の第１の位置情報を前記加入者が契約しているホーム網のホームロケーションレジスタに格納する第１の位置登録手順と、前記移動機の第２の位置情報を前記第１のビジタ網のビジタロケーションレジスタに格納する第２の位置登録手順と、発信元から前記移動機への起呼信号が送出され、前記加入者が契約していない第２のビジタ網において前記起呼信号を受信した際に、前記第２のビジタ網から前記ホームロケーションレジスタに対して前記移動機の位置情報を要求する要求手順と、前記ホームロケーションレジスタを検索して、前記第１の位置登録手順によって登録した前記第１の位置情報を取得する第１の取得手順と、前記第１の取得手順によって取得した前記第１の位置情報を前記第２のビジタ網のビジタ網交換機に送出する送出手順と、前記送出手順によって送出した前記第１の位置情報に基づき、前記第１のビジタ網のサービスエリア内での移動機の位置を確認するルーティング情報収集手順と、前記移動機への着信時に前記移動機が無応答、電源断又は圏外の場合、前記ビジタロケーションレジスタを検索して、前記第２の位置登録手順によって登録した前記第２の位置情報を取得する第２の取得手順とを有するものである。
【０００７】
また、本発明の移動通信システムは、移動機の加入者が契約しているホーム網に配設され、前記移動機の第１の位置情報を記憶するホームロケーションレジスタと、前記加入者が契約していないビジタ網に配設され、前記移動機の第２の位置情報を記憶するビジタロケーションレジスタと、前記ビジタ網に配設され、前記第２の位置情報に対応する住所を検索するビジタ網住所情報記憶装置と、前記ビジタ網に配設され、前記検索された住所を音声メッセージとして伝えるための音声信号に変換するビジタ網音声応答装置と、前記ホーム網に配設され、発信元から前記移動機への起呼信号を受信したとき、前記ホームロケーションレジスタを検索して、前記移動機の前記第１の位置情報を取得し、前記移動機が前記ホーム網と異なる前記ビジタ網のサービスエリア内に存在すると認識した場合、前記第１の位置情報に基づき、前記ビジタ網のサービスエリア内での移動機の位置を確認するルーティング情報収集処理を行うホーム網交換機と、前記ビジタ網に配設され、前記移動機が前記ビジタ網のサービスエリア内に移動したとき、前記移動機の前記第１の位置情報を前記ホームロケーションレジスタに格納し、前記移動機の前記第２の位置情報を前記ビジタロケーションレジスタに格納し、前記起呼信号により前記移動機への着信が生じたときに前記移動機が無応答、電源断又は圏外の場合、前記ビジタロケーションレジスタに記憶された前記移動機の前記第２の位置情報を前記ビジタ網住所情報記憶装置に渡して前記ビジタ網音声応答装置から出力された音声信号を発信元に送出するビジタ網交換機とを有するものである。
また、本発明の移動通信システムは、移動機の加入者が契約しているホーム網に配設され、前記移動機の第１の位置情報を記憶するホームロケーションレジスタと、前記加入者が契約していないビジタ網に配設され、前記移動機の第２の位置情報を記憶するビジタロケーションレジスタと、前記ビジタ網に配設され、前記第２の位置情報に対応する住所を検索するビジタ網住所情報記憶装置と、前記ビジタ網に配設され、前記検索された住所を音声メッセージとして伝えるための音声信号に変換するビジタ網音声応答装置と、前記ビジタ網に配設され、発信元から前記移動機への起呼信号を受信したとき、前記ホームロケーションレジスタに対して前記移動機の位置情報を要求し、前記移動機の前記第１の位置情報を取得し、前記移動機が前記ホーム網と異なる前記ビジタ網のサービスエリア内に存在すると認識した場合、前記第１の位置情報に基づき、前記ビジタ網のサービスエリア内での移動機の位置を確認するルーティング情報収集処理を行い、前記移動機が前記ビジタ網のサービスエリア内に移動したとき、前記移動機の前記第１の位置情報を前記ホームロケーションレジスタに格納し、前記移動機の前記第２の位置情報を前記ビジタロケーションレジスタに格納し、前記起呼信号により前記移動機への着信が生じたときに、前記移動機が無応答、電源断又は圏外の場合、前記ビジタロケーションレジスタに記憶された前記移動機の前記第２の位置情報を前記ビジタ網住所情報記憶装置に渡して前記ビジタ網音声応答装置から出力された音声信号を発信元に送出するビジタ網交換機とを有するものである。
【０００８】
また、本発明の移動通信システムは、移動機の加入者が契約しているホーム網に配設され、前記移動機の第１の位置情報を記憶するホームロケーションレジスタと、前記加入者が契約していない第１のビジタ網に配設され、前記移動機の第２の位置情報を記憶するビジタロケーションレジスタと、前記第１のビジタ網に配設され、前記第２の位置情報に対応する住所を検索するビジタ網住所情報記憶装置と、前記第１のビジタ網に配設され、前記検索された住所を音声メッセージとして伝えるための音声信号に変換するビジタ網音声応答装置と、前記第１のビジタ網に配設され、前記移動機が前記第１のビジタ網のサービスエリア内に移動したとき、前記移動機の前記第１の位置情報を前記ホームロケーションレジスタに格納し、前記移動機の前記第２の位置情報を前記ビジタロケーションレジスタに格納し、発信元からの起呼により前記移動機への着信が生じたときに前記移動機が無応答、電源断又は圏外の場合、前記ビジタロケーションレジスタに記憶された前記移動機の前記第２の位置情報を前記ビジタ網住所情報記憶装置に渡して前記ビジタ網音声応答装置から出力された音声信号を発信元に送出する第１のビジタ網交換機と、前記加入者が契約していない第２のビジタ網に配設され、前記発信元から前記移動機への起呼信号を受信したとき、前記ホームロケーションレジスタに対して前記移動機の位置情報を要求し、前記移動機の前記第１の位置情報を取得し、前記移動機が前記第１のビジタ網のサービスエリア内に存在すると認識した場合、前記第１の位置情報に基づき、前記ビジタ網のサービスエリア内での移動機の位置を確認するルーティング情報収集処理を行う第２のビジタ網交換機とを有するものである。
【００１０】
【発明の実施の形態】
［第１の実施の形態］
以下、本発明の実施の形態について図面を参照して詳細に説明する。図１は本発明の第１の実施の形態となる移動通信システムの構成を示すブロック図、図２は移動機が網間移動したときの位置登録動作を示すシーケンス図、図３は着信先の移動機から応答がない場合の住所情報通知動作を示すシーケンス図、図４は着信先の移動機が電源断または圏外の場合の住所情報通知動作を示すシーケンス図である。
【００１１】
本実施の形態の移動通信システムは、Ａ事業者移動通信網に設けられた、Ａ側ホームロケーションレジスタ（ＨＬＲ）１００、Ａ側ビジタロケーションレジスタ（ＶＬＲ）１０１、Ａ側ホーム網交換機１０２、Ａ側住所情報データベース１０３及びＡ側音声応答装置１０４を有する。また、移動通信システムは、Ｂ事業者移動通信網に設けられた、Ｂ側ホームロケーションレジスタ（ＨＬＲ）２００、Ｂ側ビジタロケーションレジスタ（ＶＬＲ）２０１、Ｂ側ビジタ網交換機２０２、Ｂ側住所情報データベース２０３及びＢ側音声応答装置２０４を有する。さらに、移動通信システムは、Ｃ事業者移動通信網に設けられた、Ｃ側ホームロケーションレジスタ（ＨＬＲ）３００、Ｃ側ビジタロケーションレジスタ（ＶＬＲ）３０１、Ｃ側ビジタ網交換機３０２、Ｃ側住所情報データベース３０３及びＣ側音声応答装置３０４を有する。
【００１２】
Ａ側ホーム網交換機１０２とＢ側ビジタ網交換機２０２とＣ側ビジタ網交換機３０２間は、通信回線５００で相互に接続されている。Ａ側ホーム網交換機１０２とＡ側ホームロケーションレジスタ１００とＡ側ビジタロケーションレジスタ１０１とＢ側ビジタ網交換機２０２とＢ側ホームロケーションレジスタ２００とＢ側ビジタロケーションレジスタ２０１とＣ側ビジタ網交換機３０２とＣ側ホームロケーションレジスタ３００とＣ側ビジタロケーションレジスタ３０１は、データ回線４００で相互に接続されている。
【００１３】
Ａ側ホーム網交換機１０２とＡ側住所情報データベース１０３間は、データ回線４００で接続されており、Ａ側ホーム網交換機１０２とＡ側音声応答装置１０４間は、通信回線５００とデータ回線４００の両方で接続されている。Ｂ側ビジタ網交換機２０２とＢ側住所情報データベース２０３間は、データ回線４００で接続されており、Ｂ側ビジタ網交換機２０２とＢ側音声応答装置２０４間は、通信回線５００とデータ回線４００の両方で接続されている。
【００１４】
同様に、Ｃ側ビジタ網交換機３０２とＣ側住所情報データベース３０３間は、データ回線４００で接続されており、Ｃ側ビジタ網交換機３０２とＣ側音声応答装置３０４間は、通信回線５００とデータ回線４００の両方で接続されている。
【００１５】
Ａ側ホームロケーションレジスタ１００は、Ａ事業者移動通信網をホーム網とする移動機の情報、移動機の認証キー、ローミング番号、移動機の位置情報、移動機を所持する加入者の情報等を記憶する。ここで、ローミングとは、ホーム網のサービスエリア外で、他事業者の網（ビジタ網）を使用して移動通信を行うサービスをいう。ローミング番号は、Ａ事業者移動通信網をホーム網とする移動機をローミング先のビジタ網において識別するために移動機に対して一時的に付与される番号である。したがって、ローミング先のビジタ網では、ローミング番号を移動機の加入者番号として、位置登録処理、発信処理、着信処理が行われる。また、移動機の位置情報は、移動機が存在する無線ゾーンを示すゾーン情報と、この無線ゾーンに設置された基地局を示す基地局情報とからなる。
【００１６】
同様に、Ｂ側ホームロケーションレジスタ２００は、Ｂ事業者移動通信網をホーム網とする移動機の情報、認証キー、ローミング番号、位置情報、加入者情報等を記憶し、Ｃ側ホームロケーションレジスタ３００は、Ｃ事業者移動通信網をホーム網とする移動機の情報、認証キー、ローミング番号、位置情報、加入者情報等を記憶する。
【００１７】
Ａ側ビジタロケーションレジスタ１０１は、Ａ事業者移動通信網をビジタ網とする移動機の情報、ローミング番号、移動機の位置情報等を記憶する。同様に、Ｂ側ビジタロケーションレジスタ２０１は、Ｂ事業者移動通信網をビジタ網とする移動機の情報、ローミング番号、位置情報等を記憶し、Ｃ側ビジタロケーションレジスタ３０１は、Ｃ事業者移動通信網をビジタ網とする移動機の情報、ローミング番号、位置情報等を記憶する。
【００１８】
本実施の形態において、移動機６００の加入者は、Ａ事業者と契約している。したがって、移動機６００にとって、Ａ事業者移動通信網はホーム網であり、Ｂ事業者移動通信網及びＣ事業者移動通信はビジタ網である。図１の例では、移動機６００はＣ側ビジタ網交換機３０２が管理するＣ事業者サービスエリアからＢ側ビジタ網交換機２０２が管理するＢ事業者サービスエリアへ移動していることを示している。７００は発信加入者を示す。
【００１９】
以下、本実施の形態の移動通信システムの動作を説明する。まず、移動機６００がＣ事業者サービスエリアからＢ事業者サービスエリアへ移動したときの移動機６００の位置登録動作について図２を使用して説明する。各移動通信網の交換機１０２，２０２，３０２からは無線呼出符号を含む報知信号が常時送出されている。
【００２０】
移動機６００は、Ｃ事業者サービスエリアからＢ事業者サービスエリアヘ移動したとき、移動先のＢ側ビジタ網交換機２０２から基地局を介して送出されている報知信号を受信し、この報知信号に含まれる無線呼出符号を検出する。検出した無線呼出符号が移動前のＣ側ビジタ網交換機３０２から受信した無線呼出符号と異なる場合、または予め登録されている複数の無線呼出符号の中に一致する無線呼出符号がある場合、移動機６００は、Ｂ事業者のサービスエリアに入ったと認識し、移動先のＢ側ビジタ網交換機２０２に対して位置登録要求信号を送信する（ステップ１１）。
【００２１】
図示しない基地局を介して位置登録要求信号を受け取ったＢ側ビジタ網交換機２０２は、移動機６００の認証を行うために、移動機６００のホーム網が備えるＡ側ホームロケーションレジスタ１００にデータ回線４００を介して認証情報要求信号を送出する（ステップ１２）。
【００２２】
この認証情報要求信号に応じて、Ａ側ホームロケーションレジスタ１００は、移動機６００に対応する記憶エリアから認証キーを取得して、この認証キーを含む認証情報応答信号をデータ回線４００を介してＢ側ビジタ網交換機２０２に返送する（ステップ１３）。Ｂ側ビジタ網交換機２０２は、受信した認証情報応答信号に含まれる認証キーに基づいて認証要求信号を生成し、この認証要求信号を基地局を介して移動機６００に無線送信する（ステップ１４）。
【００２３】
移動機６００は、受信した認証要求信号に含まれる認証キーと自身が予め記憶している認証キーとを用いて所定の演算式に基づく認証演算を行い、この認証の結果を示す認証応答信号をＢ側ビジタ網交換機２０２に返送する（ステップ１５）。
【００２４】
Ｂ側ビジタ網交換機２０２は、受信した認証応答信号に含まれる認証結果が認証ＯＫかどうかをチェックし（ステップ１６）、認証ＯＫの場合、移動機６００のローミング番号を捕捉し、捕捉したローミング番号と移動機６００の位置情報とを含む位置登録要求信号をデータ回線４００を介してＡ側ホームロケーションレジスタ１００に送出する（ステップ１７）。ここで、移動機６００の位置情報は、Ｂ事業者サービスエリア内の移動機６００が存在する無線ゾーンを示すゾーン情報と、この無線ゾーンに設置された基地局を示す基地局情報とからなる。
【００２５】
位置登録要求信号を受信したＡ側ホームロケーションレジスタ１００は、移動機６００に対応する記憶エリアに格納されたローミング番号と位置情報とを、受信した位置登録要求信号に含まれるローミング番号と位置情報とに更新する（ステップ１８）。こうして、移動機６００がＣ事業者サービスエリアからＢ事業者サービスエリアヘ移動したことがＡ側ホームロケーションレジスタ１００に登録される。
【００２６】
続いて、Ａ側ホームロケーションレジスタ１００は、位置登録が終了したことを示す位置登録応答信号をＢ側ビジタ網交換機２０２に返送すると共に（ステップ１９）、移動元のＣ事業者サービスエリアを管轄するＣ側ビジタ網交換機３０２から移動機６００の情報を抹消すべく、Ｃ側ビジタ網交換機３０２にデータ回線４００を介して抹消要求信号を送出する（ステップ２０）。
【００２７】
抹消要求信号を受信したＣ側ビジタ網交換機３０２は、Ｃ側ビジタロケーションレジスタ３０１に格納されている、移動機６００に対応する情報を抹消して（ステップ２１）、情報の抹消が終了したことを示す抹消応答信号をＡ側ホームロケーションレジスタ１００に返送する（ステップ２２）。
【００２８】
一方、位置登録応答信号を受信したＢ側ビジタ網交換機２０２は、Ｂ側ビジタロケーションレジスタ２０１に新たに移動機６００の情報を格納すべく、移動機情報とローミング番号と位置情報とを含む位置登録情報格納信号を送出する（ステップ２３）。
【００２９】
Ｂ側ビジタロケーションレジスタ２０１は、受信した位置登録情報格納信号に含まれる移動機情報とローミング番号と位置情報とを移動機６００に対応する記憶エリアへ格納する（ステップ２４）。そして、Ｂ側ビジタロケーションレジスタ２０１は、位置登録が終了したことを示す位置登録情報格納応答信号をＢ側ビジタ網交換機２０２に返送する（ステップ２５）。
【００３０】
位置登録情報格納応答信号を受信したＢ側ビジタ網交換機２０２は、位置登録が終了したことを示す位置登録受付信号を基地局を介して移動機６００に無線送信する（ステップ２６）。以上により、位置登録処理が終了する。
【００３１】
次に、発信加入者７００から移動機６００への着信呼が生じたとき、移動機６００から応答がない場合の住所情報通知動作について図３を使用して説明する。発信加入者７００は、移動機６００を呼び出すべく起呼信号を送出する（ステップ３１）。この起呼信号は、発信加入者７００に最も近い網の交換機（図３の例では、Ｂ側ビジタ網交換機２０２）に送出される。
【００３２】
起呼信号を受信したＢ側ビジタ網交換機２０２は、移動機６００の現在位置を確認すべく、移動機６００のホーム網のＡ側ホームロケーションレジスタ１００に加入者情報要求信号を送出する（ステップ３２）。加入者情報要求信号を受信したＡ側ホームロケーションレジスタ１００は、移動機６００に対応する記憶エリアから移動機情報と位置情報とを取得し、取得した移動機情報と位置情報とを含む加入者情報応答信号をＢ側ビジタ網交換機２０２に返送する（ステップ３３）。
【００３３】
Ｂ側ビジタ網交換機２０２は、受信した加入者情報応答信号から位置情報を取り出し、この位置情報に基づいて移動機６００の現在位置を確認するルーチング情報収集処理を行い、移動機６００がＢ事業者サービスエリアに在圏することを認識する（ステップ３４）。そして、Ｂ側ビジタ網交換機２０２は、在圏エリアの基地局を通して移動機６００に一斉呼出信号を送出する（ステップ３５）。
【００３４】
一斉呼出信号を受信した移動機６００は、一斉呼出応答信号をＢ側ビジタ網交換機２０２に返送する（ステップ３６）。一斉呼出応答信号を受信したＢ側ビジタ網交換機２０２は、認証要求信号を基地局を介して移動機６００に送信し（ステップ３７）、この認証要求信号に応じて移動機６００は、認証応答信号をＢ側ビジタ網交換機２０２に返送する（ステップ３８）。
【００３５】
基地局を介して認証応答信号を受信したＢ側ビジタ網交換機２０２は、この認証応答信号に含まれる認証結果が認証ＯＫかどうかをチェックし、認証ＯＫの場合、移動機６００を呼び出す呼設定信号を送出する（ステップ３９）。移動機６００は、呼設定信号を受信したことを示す呼出信号をＢ側ビジタ網交換機２０２に返送する（ステップ４０）。
【００３６】
Ｂ側ビジタ網交換機２０２は、基地局を介して呼出信号を受信したとき、応答待ちタイマーを起動して時間計測を開始し、移動機６００からの応答信号を待つ。ここで、移動機６００が応答すると、応答信号がＢ側ビジタ網交換機２０２へ送出される。これにより、発信加入者７００と移動機６００との間に、Ｂ側ビジタ網交換機２０２と基地局とを介した通話路が形成され、通話状態となる。
【００３７】
一方、応答待ちタイマーによる計測時間が所定のしきい値を超えても、移動機６００からの応答がない場合、Ｂ側ビジタ網交換機２０２は、応答待ちタイムアウトと認識し（ステップ４１）、発信加入者７００に移動機６００の位置を通知すべく、Ｂ側ビジタロケーションレジスタ２０１から移動機６００の位置情報を取得して、この位置情報をＢ側住所情報データベース２０３に送出する（ステップ４２）。
【００３８】
Ｂ側住所情報データベース２０３は、受信した位置情報に基づいて住所を検索し（ステップ４３）、位置情報に対応する住所を示す住所情報をＢ側ビジタ網交換機２０２に返送する（ステップ４４）。次に、Ｂ側ビジタ網交換機２０２は、取得した住所情報を含む起動信号をＢ側音声応答装置２０４に送出する（ステップ４５）。
【００３９】
起動信号を受信したＢ側音声応答装置２０４は、Ｂ側ビジタ網交換機２０２を通じた発信加入者７００への通信回線が確立した後、起動完了信号をＢ側ビジタ網交換機２０２に返送する（ステップ４６）。そして、Ｂ側音声応答装置２０４は、受信した住所情報を位置情報通知アナウンスとして伝えるための音声信号に変換して（ステップ４７）、この音声信号をＢ側ビジタ網交換機２０２を介して発信加入者７００へ送出する（ステップ４８）。こうして、発信加入者７００は、移動機６００のおおよその現在位置を確認することができる。
【００４０】
次に、発信加入者７００から移動機６００への着信呼が生じたとき、移動電話機６００の電源が切られているか、あるいは移動電話機６００がＢ事業者サービスエリア外にいる場合の住所情報通知動作について図４を使用して説明する。ステップ３１〜３５の処理は図３と全く同じである。
【００４１】
Ｂ側ビジタ網交換機２０２は、一斉呼出信号の送出後、一斉呼出応答待ちタイマーを起動して時間計測を開始し、移動機６００からの一斉呼出応答信号を待つ。一斉呼出応答信号を受信した場合、Ｂ側ビジタ網交換機２０２は、図３で説明したステップ３７に進む。
【００４２】
一斉呼出応答待ちタイマーによる計測時間が所定のしきい値を超えても、移動機６００からの一斉呼出応答がない場合、Ｂ側ビジタ網交換機２０２は、一斉呼出タイムアウトと認識する（ステップ５０）。一斉呼出タイムアウトの場合、移動電話機６００の電源が切られているか、あるいは移動電話機６００がＢ事業者サービスエリアにいないと考えられるので、Ｂ側ビジタ網交換機２０２は、発信加入者７００に移動機６００の位置を通知すべく、Ｂ側ビジタロケーションレジスタ２０１から移動機６００の位置情報を取得して、この位置情報をＢ側住所情報データベース２０３に送出する（ステップ５１）。ステップ４３〜ステップ４８の処理は図３と全く同じである。
【００４３】
こうして、発信加入者７００は、移動機６００のおおよその現在位置を確認することができる。ただし、移動機６００がＢ事業者サービスエリアで位置登録した後、Ａ，Ｂ，Ｃの何れの事業者のサービスエリアでもない地域に移動した場合、発信加入者７００に通知されるのは、移動機６００が位置登録したときの位置となる。
【００４４】
なお、本実施の形態では、発信加入者７００に最も近い網がＢ事業者移動通信網である場合について説明しているが、発信加入者７００に最も近い網がＣ事業者移動通信網である場合には、この発信加入者７００からの起呼信号を受信したＣ側ビジタ網交換機３０２は、図３、図４のステップ３２〜３４と同様にＡ側ホームロケーションレジスタ１００に加入者情報を要求する処理により、移動機６００がＢ事業者サービスエリアに在圏することを認識する。そして、Ｃ側ビジタ網交換機３０２は、発信加入者７００からの起呼信号をＢ事業者移動通信網のＢ側ビジタ網交換機２０２に送出する。以降の処理は、図３、図４のステップ３５以降と同じである。
【００４５】
また、発信加入者７００に最も近い網がＡ事業者移動通信網である場合には、Ａ側ホーム網交換機１０２により図３、図４のＢ側ビジタ網交換機２０２と同様の処理を行い、ステップ３４の処理により移動機６００がＡ事業者サービスエリアに在圏すると認識した場合には、Ａ側ホームロケーションレジスタ１００から移動機６００の位置情報を取得すればよく、移動機６００がＢ又はＣ事業者サービスエリアに在圏すると認識した場合には、発信加入者７００からの起呼信号をＢ又はＣ事業者移動通信網のビジタ網交換機２０２，３０２に送出すればよい。
【００４６】
【発明の効果】
本発明によれば、移動機の加入者が契約しているホーム網のサービスエリア内に移動機が移動したとき、移動機の位置情報をホームロケーションレジスタに格納する位置登録手順と、移動機への着信時に移動機が無応答、電源断又は圏外の場合、ホームロケーションレジスタを検索して、移動機の位置情報を取得する取得手順と、取得した位置情報に対応する住所を検索する検索手順と、検索した住所を音声メッセージとして伝えるための音声信号に変換して発信元に送出する通知手順とを実行するようにしたことにより、移動機の最新の位置登録がホーム網で行われ、発信元に最も近い網がホーム網である場合に、この発信元から移動機を呼び出す着信が生じたとき、移動機が無応答、電源断又は圏外の場合、移動機のおおよその現在位置を発信元に音声通知することができる。その結果、発信元は、移動機のおおよその現在位置を認識できるので、サービス性を向上させることができる。
【００４７】
また、移動機の加入者が契約していないビジタ網のサービスエリア内に移動機が移動したとき、移動機の位置情報をビジタロケーションレジスタに格納する位置登録手順と、移動機への着信時に移動機が無応答、電源断又は圏外の場合、ビジタロケーションレジスタを検索して、移動機の位置情報を取得する取得手順と、取得した位置情報に対応する住所を検索する検索手順と、検索した住所を音声メッセージとして伝えるための音声信号に変換して発信元に送出する通知手順とを実行するようにしたことにより、移動機の最新の位置登録がビジタ網で行われ、発信元に最も近い網がビジタ網である場合に、この発信元から移動機を呼び出す着信が生じたとき、移動機が無応答、電源断又は圏外の場合、移動機のおおよその現在位置を発信元に音声通知することができる。その結果、発信元は、移動機のおおよその現在位置を認識できるので、サービス性を向上させることができる。
【００４８】
また、ホーム網において発信元からの起呼信号を受信したことにより移動機への着信が生じたとき、ホームロケーションレジスタを検索して、移動機がホーム網と異なるビジタ網のサービスエリア内に存在する場合、移動機への着信を伝えるべくビジタ網のビジタ網交換機に起呼信号を送出する起呼手順を実行し、ビジタ網において移動機が無応答、電源断又は圏外の場合、取得手順、検索手順及び通知手順を実行するようにしたことにより、移動機の最新の位置登録がビジタ網で行われ、発信元に最も近い網がホーム網である場合に、この発信元から移動機を呼び出す着信が生じたとき、ホーム網からビジタ網に移動機への着信が伝えられ、移動機が無応答、電源断又は圏外の場合、移動機のおおよその現在位置を発信元に音声通知することができる。その結果、発信元は、移動機のおおよその現在位置を認識できるので、サービス性を向上させることができる。
【００４９】
また、ビジタ網において発信元からの起呼信号を受信したことにより移動機への着信が生じたとき、ビジタ網からホームロケーションレジスタに対して移動機の情報を要求する要求手順と、要求に応じてホームロケーションレジスタから要求元のビジタ網に移動機の情報を返送する応答手順と、ホームロケーションレジスタからの応答により移動機がホーム網のサービスエリア内に存在すると認識した場合、移動機への着信を伝えるべくホーム網のホーム網交換機に起呼信号を送出する起呼手順とを実行し、ホーム網において移動機が無応答、電源断又は圏外の場合、取得手順、検索手順及び通知手順を実行するようにしたことにより、移動機の最新の位置登録がホーム網で行われ、発信元に最も近い網がビジタ網である場合に、この発信元から移動機を呼び出す着信が生じたとき、ビジタ網からホーム網に移動機への着信が伝えられ、移動機が無応答、電源断又は圏外の場合、移動機のおおよその現在位置を発信元に音声通知することができる。その結果、発信元は、移動機のおおよその現在位置を認識できるので、サービス性を向上させることができる。
【００５０】
また、第２のビジタ網において発信元からの起呼信号を受信したことにより移動機への着信が生じたとき、第２のビジタ網からホームロケーションレジスタに対して移動機の情報を要求する要求手順と、要求に応じてホームロケーションレジスタから要求元の第２のビジタ網に移動機の情報を返送する応答手順と、ホームロケーションレジスタからの応答により移動機が第１のビジタ網のサービスエリア内に存在すると認識した場合、移動機への着信を伝えるべく第１のビジタ網のビジタ網交換機に起呼信号を送出する起呼手順とを実行し、第１のビジタ網において移動機が無応答、電源断又は圏外の場合、取得手順、検索手順及び通知手順を実行するようにしたことにより、移動機の最新の位置登録が第１のビジタ網で行われ、発信元に最も近い網が第２のビジタ網である場合に、この発信元から移動機を呼び出す着信が生じたとき、第２のビジタ網から第１のビジタ網に移動機への着信が伝えられ、移動機が無応答、電源断又は圏外の場合、移動機のおおよその現在位置を発信元に音声通知することができる。その結果、発信元は、移動機のおおよその現在位置を認識できるので、サービス性を向上させることができる。
【図面の簡単な説明】
【図１】  本発明の第１の実施の形態となる移動通信システムの構成を示すブロック図である。
【図２】  本発明の第１の実施の形態において移動機が網間移動したときの位置登録動作を示すシーケンス図である。
【図３】  本発明の第１の実施の形態において着信先の移動機から応答がない場合の住所情報通知動作を示すシーケンス図である。
【図４】  本発明の第１の実施の形態において着信先の移動機が電源断または圏外の場合の住所情報通知動作を示すシーケンス図である。
【符号の説明】
１００…Ａ側ホームロケーションレジスタ、１０１…Ａ側ビジタロケーションレジスタ、１０２…Ａ側ホーム網交換機、１０３…Ａ側住所情報データベース、１０４…Ａ側音声応答装置、２００…Ｂ側ホームロケーションレジスタ、２０１…Ｂ側ビジタロケーションレジスタ、２０２…Ｂ側ビジタ網交換機、２０３…Ｂ側住所情報データベース、２０４…Ｂ側音声応答装置、３００…Ｂ側ホームロケーションレジスタ、３０１…Ｃ側ビジタロケーションレジスタ、３０２…Ｃ側ビジタ網交換機、３０３…Ｃ側住所情報データベース、３０４…Ｃ側音声応答装置、４００…データ回線、５００…通信回線、６００…移動機、７００…発信加入者。
【図１】
0003733874.tif 000002
【図２】
0003733874.tif 000003
【図３】
0003733874.tif 000004
【図４】
0003733874.tif 000005